【手続補正書】
【提出日】平成18年9月15日(2006.9.15)
【手続補正１】
【補正対象書類名】明細書
【補正対象項目名】特許請求の範囲
【補正方法】変更
【補正の内容】
【特許請求の範囲】
【請求項１】
安定な変性ポリイソシアネートであって、そのイソシアネート基の少なくとも一つが架橋性アーム又は架橋性基によって変性され、前記架橋性基は環式カーボネート基であり、前記安定な変性ポリイソシアネートは以下のポリイソシアネートから誘導される。
−  トリマーとしても知られるイソシアヌレート基を少なくとも１つ有するポリイソシアネート化合物、
−  ビウレット基を少なくとも１つ含有するポリイソシアネート誘導体、
−  カルバメート基を少なくとも１つ含有するポリイソシアネート誘導体、
−  アロファネート基を少なくとも１つ含有するポリイソシアネート誘導体、
−  エステル基を少なくとも１つ含有するポリイソシアネート誘導体、
−  アミド基を少なくとも１つ含有するポリイソシアネート誘導体、
−  イミノシクロオキサジアジンジオン基を少なくとも１つ含有するポリイソシアネート誘導体、
−  シクロオキサジアジントリオン基を少なくとも１つ含有するポリイソシアネート誘導体、
−  隠蔽（マスキング）されたイソシアネート基を少なくとも１つ含有するポリイソシアネート誘導体、
−  上記した基の１種又は複数種の組み合わせを含有するポリイソシアネート誘導体。
【請求項２】
前記環式カーボネートの架橋性基がビシナルジオール又はトリメチロールプロパンと活性化カルボニル化剤との反応により生成可能であることを特徴とする請求項１に記載の安定な変性ポリイソシアネート。
【請求項３】
前記ビシナルジオールがグリセロール、９，１０−ジヒドロキシステアリン酸、及び１，９，１０−トリヒドロキシオクタデカンから選択されることを特徴とする請求項２に記載の安定な変性ポリイソシアネート。
【請求項４】
前記活性化カルボニル化剤がカルボニルジイミダゾール、カルボニルジ−１，２，４−トリアゾール、カルボニルジ−メチルエチルケトキシム、及びＮ，Ｎ′−ジスクシンイミジルカーボネートから選択されることを特徴とする請求項２又は請求項３に記載の安定な変性ポリイソシアネート。
【請求項５】
前記環式カーボネートの架橋性基がグリセロールカーボネート、コハク酸とグリセロールカーボネートのモノエステル、グルタル酸とグリセロールカーボネートのモノエステル、トリメチロールプロパンカーボネート、９，１０−ジヒドロキシステアリン酸のカーボネート、及び１，９，１０−トリヒドロキシオクタデカンのカーボネートから選択されることを特徴とする請求項１又は請求項２に記載の安定な変性ポリイソシアネート。
【請求項６】
前記架橋性基がイソシアネート基とグリセロールカーボネートの反応により生ずることを特徴とする請求項１から請求項５のいずれか一項に記載のポリイソシアネート。
【請求項７】
次式で表される請求項６に記載の安定な変性ポリイソシアネート。
【化１】
2002526551.tif 000001
（式中、Ｉｓｏは一つのイソシアネート基が転化した後のポリイソシアネートの残基である。）
【請求項８】
前記架橋性基がイソシアネート基と脂肪酸カーボネート又はそのエステルとの反応により生じることを特徴とする請求項１から請求項５のいずれか一項に記載のポリイソシアネート。
【請求項９】
前記架橋性基がイソシアネート基とオレイン酸８，９−カーボネートとの反応により生じることを特徴とする請求項８に記載のポリイソシアネート。
【請求項１０】
分子量が７５００未満であることを特徴とする請求項１から請求項９のいずれか一項に記載の安定な変性ポリイソシアネート。
【請求項１１】
分子量が３５００未満であることを特徴とする請求項１から請求項９のいずれか一項に記載の安定な変性ポリイソシアネート。
【請求項１２】
分子量が２５００未満であることを特徴とする請求項１から請求項９のいずれか一項に記載の安定な変性ポリイソシアネート。
【請求項１３】
更に少なくとも一つの他の遊離イソシアネート基及び／又はマスキング剤若しくは熱不安定性マスキング剤の混合物によって隠蔽（マスキング）された少なくとも一つの他のイソシアネート基を含有することを特徴とする請求項１から請求項１２のいずれか一項に記載の安定な変性ポリイソシアネート。
【請求項１４】
マスキング剤が置換又は非置換のイミダゾール、ピラゾール、１，２，３−トリアゾール及び１，２，４−トリアゾール、ラクタム、置換又は非置換のフェノール及びオキシムから選択される請求項１１から請求項１３のいずれか一項に記載の安定な変性ポリイソシアネート。
【請求項１５】
少なくとも二つの異なるマスキング基によって非変性イソシアネート基を隠蔽（マスキング）することができることを特徴とする請求項１１から請求項１４のいずれか一項に記載の安定な変性ポリイソシアネート。
【請求項１６】
１１０℃のオクタノール試験において、
【数１】
2002526551.tif 000002
が４／３より大きいものから選択される、少なくとも二つの異なるマスキング剤を含有することを特徴とする請求項１１から請求項１５のいずれか一項に記載の安定な変性ポリイソシアネート。
【請求項１７】
１１０℃のオクタノール試験において、
【数２】
2002526551.tif 000003
が１．５よりも大きいものから選択される、少なくとも二つの異なるマスキング剤を含有することを特徴とする請求項１１から請求項１５のいずれか一項に記載の安定な変性ポリイソシアネート。
【請求項１８】
１１０℃のオクタノール試験において、
【数３】
2002526551.tif 000004
が２より大きいものから選択される、少なくとも二つの異なるマスキング剤を含有することを特徴とする請求項１１から請求項１５のいずれか一項に記載の安定な変性ポリイソシアネート。
【請求項１９】
前記マスキング基がそれぞれオキシム及びトリアゾール（１，２，３−トリアゾール又は１，２，４−トリアゾール）であって、前記オキシムはメチルエチルケトキシム、メチルアミルケトキシム、メチルピルベートのオキシム又はエチルピルベートのオキシムである請求項１６から請求項１８に記載の安定な変性ポリイソシアネート。
【請求項２０】
前記架橋性基によってＮＣＯ基が変性されている前記ポリイソシアネートが、アルキレンジイソシアネートのホモ若しくはヘテロ縮合の生成物、又はイソシアネート基を有する「プレポリマー」並びにこれらの混合物から選択されることを特徴とする請求項１から請求項１９のいずれか一項に記載の安定な変性ポリイソシアネート。
【請求項２１】
−  ポリメチレンジイソシアネート；
−  シクロブタン−１，３−ジイソシアネート、シクロヘキサン１，２−、１，３−又は１，４−ジイソシアネート、３，３，５−トリメチル−１−イソシアナト−５−イソシアナトメチルシクロヘキサン、ビスイソシアナトメチルノルボルナン、１，３−ビス（イソシアナトメチル）−シクロヘキサン、Ｈ12−ＭＤＩ、シクロヘキシル−１，４−ジイソシアネート；及び
−  アリーレンジアルキレンジイソシアネート及びトルエンジイソシアネート；
から選択されるイソシアネート単量体のホモ又はヘテロ縮合の生成物であることを特徴とする請求項１から請求項２０のいずれか一項に記載の安定な変性ポリイソシアネート。
【請求項２２】
−  １，６−ヘキサメチレンジイソシアネート、２−メチル−１，５−ペンタメチレンジイソシアネート、２，４，４−トリメチル−１，６−ヘキサメチレンジイソシアネート、３，５，５−トリメチレン−１，６−ヘキサメチレンジイソシアネート、１，１２−ドデカンジイソシアネート、イソシアナト−（４）−メチル−１，８−オクチレンジイソシアネート；
−  シクロブタン−１，３−ジイソシアネート、シクロヘキサン１，２−、１，３−又は１，４−ジイソシアネート、３，５，５−トリメチル−１−イソシアナト−５−イソシアナトメチルシクロヘキサン、ビス−イソシアナトメチルノルボルナン、１，３−ビス（イソシアナトメチル）−シクロヘキサン、Ｈ12−ＭＤＩ、シクロヘキシル１，４−ジイソシアネート；及び
−  ＯＣＮ−ＣＨ2−φ−ＣＨ2−ＮＣＯ化合物；
から選択されるイソシアネート単量体のホモ−又はヘテロ縮合の生成物であることを特徴とする請求項１９に記載の安定な変性ポリイソシアネート。
【請求項２３】
三分子のイソシアネート単量体の理論的（シクロ）三量体化によって誘導され、イソシアヌレート基及び／又はビウレット環を含有する、多官能性三縮合イソシアネート；及びアロファネート及び／又はダイマー及び／又は尿素、ウレタン、ビウレット又はカルバメートの混合物から成り、環式カーボネート基の形の架橋性基によって変性されたイソシアネート基を１〜１００重量％含有することを特徴とする請求項１から請求項２２のいずれか一項に記載の安定な変性ポリイソシアネート。
【請求項２４】
遊離イソシアネート基を１〜９９重量％有することを特徴とする請求項２３に記載の安定な変性ポリイソシアネート。
【請求項２５】
遊離イソシアネート基を５〜７０重量％有することを特徴とする請求項２４に記載の安定な変性ポリイソシアネート。
【請求項２６】
複数の多官能性三縮合ポリイソシアネートと、アロファネート、ウレチンジオン又はダイマーとの物理的混合物から成り、前記ポリイソシアネートは環式カーボネート基の形の架橋性基によって変性されたイソシアネート基を１００〜１重量％含有する請求項１から請求項２５のいずれか一項に記載の安定な変性ポリイソシアネート。
【請求項２７】
複数の多官能性三縮合ポリイソシアネートと、アロファネート、ウレチンジオン又はダイマーとの物理的混合物から成り、前記ポリイソシアネートはマスキング基によって隠蔽（マスキング）されたイソシアネート基を１〜９９重量％含有する請求項１から請求項２６のいずれか一項に記載の安定な変性ポリイソシアネート。
【請求項２８】
環式カーボネートの形の架橋性基を有する官能基によって変性され、遊離イソシアネート基及び／又は隠蔽（マスキング）されたイソシアネート基、並びにアロファネート基及び／又はウレチンジオン基を含有するポリイソシアネートから成ることを特徴とする請求項１から請求項２７のいずれか一項に記載の安定な変性ポリイソシアネート。
【請求項２９】
遊離イソシアネート基を１〜９９重量％有することを特徴とする請求項２８に記載の安定な変性ポリイソシアネート。
【請求項３０】
遊離イソシアネート基を５〜７０重量％有することを特徴とする請求項２８に記載の安定な変性ポリイソシアネート。
【請求項３１】
ａ）ポリイソシアネートと、ビシナルジオール及び活性化カルボニル化剤から選択される化合物とを反応させること；及び
ｂ）得られた生成物を単離すること；
の工程を含む請求項１から請求項３０のいずれか一項に記載の安定な変性ポリイソシアネートの製造方法。
【請求項３２】
前記ａ）に用いるポリイソシアネートがカルバメート、尿素、ビウレット、ウレチンジオン、イソシアヌレート、ウレタン及びアロファネートから選択される基を含有するポリイソシアネートである請求項３１に記載の安定な変性ポリイソシアネートの製造方法。
【請求項３３】
ａ1）ポリイソシアネートと、ビシナルジオール及び活性化カルボニル化剤から選択される化合物とを反応させること、及び
ｂ）少なくとも１種のマスキング性化合物と同時に又は順次に反応させること；
或いは
ａ2）ポリイソシアネートとビシナルジオール及び活性化カルボニル化剤から選択される化合物と少なくとも１種のマスキング性化合物とを同時に反応させること、及び
ｂ）得られた生成物を単離すること；
の工程（順序は任意）のいずれかを含む隠蔽（マスキング）されたイソシアネート基を含有する請求項１から請求項３０のいずれか一項に記載の安定な変性ポリイソシアネートの製造方法。
【請求項３４】
前記ａ1）に用いるポリイソシアネートがカルバメート、尿素、ビウレット、ウレチンジオン、イソシアヌレート、ウレタン及びアロファネートから選択される基を含有するポリイソシアネートである請求項３３に記載の安定な変性ポリイソシアネートの製造方法。
【請求項３５】
少なくとも１％、最大で９９％の請求項１から請求項３０のいずれか一項で規定した架橋性基を主として含有する請求項１から請求項３０のいずれか一項に記載の安定な変性ポリイソシアネート、並びに少なくとも１％、最大で９９％の架橋性基を主として有する請求項１から請求項３０のいずれか一項に記載の別の安定な変性ポリイソシアネート、及び／又はジイソシアネートから誘導され、遊離イソシアネート基及び／又は隠蔽（マスキング）されたイソシアネート基を有し、架橋性基を含有しない別の分子を含む混合物から成るポリイソシアネート組成物。
【請求項３６】
非発泡型の薄膜コーティング剤、塗料又はワニスの製造のための請求項１から請求項３０のいずれか一項に記載の安定な変性ポリイソシアネートの使用。
【請求項３７】
好適な試薬を用いて架橋性プレポリマーの架橋性基を開裂して架橋性プレポリマーを形成した後の、非発泡型の薄膜コーティング剤、塗料又はワニスの製造のための請求項１から請求項３０のいずれか一項に記載の安定な変性ポリイソシアネートの使用。
【請求項３８】
前記好適な試薬がアルコール基、又は第一又は第二アミン基を有する化合物、反応性水素原子を有する複素環式窒素含有化合物、オキシム及びフェノールから選択される請求項３７に記載の使用。
【請求項３９】
前記好適な試薬がアンモニア、第一又は第二アミン、窒素含有複素環体及びそれらの塩から選択される請求項３７又は請求項３８に記載の使用。
【請求項４０】
請求項１から請求項３０のいずれか一項において規定した安定な変性ポリイソシアネートをベースとした重合体及び／又は架橋生成物。
【請求項４１】
請求項１から請求項３０のいずれか一項に記載の安定な変性ポリイソシアネートと求核性補助試薬との反応によってコーティング剤として応用できる重縮合体及び架橋生成物を製造するための前記安定な変性ポリイソシアネートの使用。
【請求項４２】
前記求核性補助剤がアミンから選択される請求項４１に記載の使用。
【請求項４３】
前記アミンがジアミン又はポリアミンである請求項４２に記載の使用。
【請求項４４】
請求項１から請求項３０のいずれか一項に記載の安定な変性ポリイソシアネートと不安定水素を有する任意の種類の化合物とを含有する組成物。
【請求項４５】
ａ）安定な変性（ポリ）イソシアネートであって、そのイソシアネート基の少なくとも一つが架橋性アーム又は架橋性基によって変性され、前記架橋性基は環式カーボネート基であるもの、及び
ｂ）第一又は第二アミン基を有する試薬、
を含有する、順次又は同時使用のための組成物。
【請求項４６】
前記環式カーボネートの架橋性基がビシナルジオール又はトリメチルロールプロパンと活性化カルボニル化剤との反応により生成可能であることを特徴とする請求項４５に記載の組成物。
【請求項４７】
前記ビシナルジオールがグリセロール、９，１０−ジヒドロキシステアリン酸、及び１，９，１０−トリヒドロキシオクタデカンから選択されることを特徴とする請求項４６に記載の組成物。
【請求項４８】
前記活性化カルボニル化剤がカルボニルジイミダゾール、カルボニルジ−１，２，４−トリアゾール、カルボニルジメチルエチルケトキシム及びＮ，Ｎ‘−ジスクシンイミジルカーボネートから選択されることを特徴とする請求項４６又は請求項４７に記載の組成物。
【請求項４９】
前記環式カーボネートの架橋性基がグリセロールカーボネート、コハク酸とグリセロールカーボネートのモノエステル、グルタル酸とグリセロールカーボネートのモノエステル、トリメチロールプロパンカーボネート、９，１０−ジヒドロキシステアリン酸のカーボネート、及び１，９，１０−トリヒドロキシオクタデカンのカーボネートから選択されることを特徴とする請求項４５又は請求項４６に記載の組成物。
【請求項５０】
前記架橋性基がイソシアネート基とグリセロールカーボネートとの反応により生じることを特徴とする請求項４５から請求項４９のいずれか一項に記載の組成物。
【請求項５１】
安定な変性（ポリ）イソシアネートのイソシアネート基の少なくとも一つが次式に対応する架橋性アーム又は架橋性基によって変性されていることを特徴とする請求項５０に記載の組成物。
【化２】
2002526551.tif 000005
（式中、Ｉｓｏは一つのイソシアネート基が転化した後のポリイソシアネートの残基である。）
【請求項５２】
前記架橋性基がイソシアネート基と脂肪酸カーボネート又はそのエステルとの反応により生じることを特徴とする請求項４５から請求項４９のいずれか一項に記載の組成物。
【請求項５３】
前記架橋性基がイソシアネート基とオレイン酸８，９−カーボネートとの反応により生じることを特徴とする請求項５２に記載の組成物。
【請求項５４】
安定な変性（ポリ）イソシアネートの分子量が７５００未満であることを特徴とする請求項４５から請求項５３のいずれか一項に記載の組成物。
【請求項５５】
安定な変性（ポリ）イソシアネートが；
−  ジイソシアネート、
−  トリマーとも呼ばれるイソシアヌレート基を含有するポリイソシアネート、
−  ダイマーとも呼ばれるウレチジンジオン基を少なくとも一つ含有するポリイソシアネート、
−  ビウレット基を少なくとも一つ含有するポリイソシアネート、
−  カルバメート基を少なくとも一つ含有するポリイソシアネート、
−  アロファネート基を少なくとも一つ含有するポリイソシアネート、
−  エステル基を少なくとも一つ含有するポリイソシアネート、
−  アミド基を少なくとも一つ含有するポリイソシアネート、
−  尿素基を少なくとも一つ含有するポリイソシアネート、
−  イミノシクロオキサジアジンジオン基を少なくとも一つ含有するポリイソシアネート、
−  シクロオキサジアジントリオン基を少なくとも一つ含有するポリイソシアネート、
−  隠蔽（マスキング）されたイソシアネート基を少なくとも一つ含有するポリイソシアネート、及び
−  上記した基の一種又は複数種の組み合わせを少なくとも一つ含有するポリイソシアネート、
から選択されることを特徴とする請求項４５から請求項５４のいずれか一項に記載の組成物。
【請求項５６】
安定な変性（ポリ）イソシアネートが更に少なくとも一つの他の遊離イソシアネート基及び／又はマスキング剤若しくは熱不安定性マスキング剤の混合物によって隠蔽（マスキング）された少なくとも一つの他のイソシアネート基を含有することを特徴とする請求項４５から請求項５５のいずれか一項に記載の組成物。
【請求項５７】
マスキング剤が置換又は非置換のイミダゾール、ピラゾール、１，２，３−トリアゾール及び１，２，４−トリアゾールから選択されることを特徴とする請求項５６に記載の組成物。
【請求項５８】
少なくとも二つの異なるマスキング基によって非変性イソシアネート基を隠蔽（マスキング）することができることを特徴とする請求項５６又は請求項５７に記載の組成物。
【請求項５９】
安定な変性（ポリ）イソシアネートが、１１０℃のオクタノール試験において、
【数３】
2002526551.tif 000006
が４／３よりも大きいものから選択される、少なくとも二つの異なるマスキング剤を含有することを特徴とする請求項５６から請求項５８のいずれか一項に記載の組成物。
【請求項６０】
安定な変性（ポリ）イソシアネートが、１１０℃のオクタノール試験において、
【数４】
2002526551.tif 000007
が１．５よりも大きいものから選択される、少なくとも二つの異なるマスキング剤を含有することを特徴とする請求項５６から請求項５８のいずれか一項に記載の組成物。
【請求項６１】
安定な変性（ポリ）イソシアネートが、１１０℃のオクタノール試験において、
【数５】
2002526551.tif 000008
が２より大きいものから選択される、少なくとも二つの異なるマスキング剤を含有することを特徴とする請求項５６から請求項５８のいずれか一項に記載の組成物。
【請求項６２】
前記マスキング基がそれぞれオキシム及びトリアゾール（１，２，３−トリアゾール又は１，２，４−トリアゾール）であって、前記オキシムはメチルエチルケトキシム、メチルアミルケトキシム、メチルピルベートのオキシム又はエチルピルベートのオキシムであることを特徴とする請求項５９から請求項６１のいずれか一項に記載の組成物。
【請求項６３】
第一又は第二アミン基を有する試薬が、アンモニア、第一又は第二アミン又はそれらの塩、及び環を開くことで反応する窒素含有複素環体及びそれらの塩から選択されることを特徴とする請求項４５から請求項６２のいずれか一項に記載の組成物。
【請求項６４】
前記試薬が第一アミン基を有する試薬であることを特徴とする請求項６３に記載の組成物。
【請求項６５】
前記試薬が第二アミン基を有する試薬であることを特徴とする請求項６３に記載の組成物。
【請求項６６】
第一又は第二アミン基を有する試薬がジアミン又はポリアミンであることを特徴とする請求項６３から請求項６５のいずれか一項に記載の組成物。
【請求項６７】
第一又は第二アミン基を有する反応剤がポリアルコキシ化アミン又はシリコーンアミン又はペルフルオロアミンであることを特徴とする請求項６３から請求項６５のいずれか一項に記載の組成物。
【請求項６８】
少なくとも一つのイソシアネート基が架橋性鎖又は架橋性基によって変性されており、前記架橋性基は環式カーボネート基である安定な変性（ポリ）イソシアネートにおけるカーボネート環と第一又は第二アミン基を有する試薬との開環反応によるカルバメート結合の生成法。
【請求項６９】
前記架橋性の環式カーボネート基が請求項４６から請求項５３のいずれか一項で規定されたものであることを特徴とする請求項６８に記載の方法。
【請求項７０】
安定な変性（ポリ）イソシアネートが請求項５４から請求項６２のいずれか一項で規定されたものであることを特徴とする請求項６８に記載の方法。
【請求項７１】
第一又は第二アミン基を有する試薬が請求項６３から請求項６７のいずれか一項で規定されたものであることを特徴とする請求項６８に記載の方法。
【請求項７２】
非発泡型の薄膜コーティング剤、塗料又はワニスの製造のための請求項４５から請求項６７のいずれか一項に記載の組成物の使用。